(57)【要約】【課題】マット状のベルトによるベルトコンベア方式の裁断テーブルを有する裁断装置でも、効率良く裁断屑を清掃することができるようにする。【解決手段】マット状のベルト３の循環経路の下部に、清掃装置１０を設け、ベルト３の循環移動中に清掃を行い、付着している裁断屑を除去する。清掃装置１０は、ベルト３の表面に対して相対的な運動を行うブラシを接触させるブラシ機構１１と、ブラシ機構１１が臨むベルト３の表面部分を外囲するハウジング１２と、空気吸引機構１３とを含む。空気吸引機構１３によってハウジング内の空気を吸引するので、ブラシ機構１１によってベルト３の表面から分離された裁断屑を空気とともに吸引して、ハウジング１２外に排出することができ、ベルト３の表面を確実に清掃することができる。【選択図】      図１
2005320635.tif 000002
【特許請求の範囲】
【請求項１】
マット状のベルトを循環させるベルトコンベア方式の裁断テーブル上で、吸着しながらシート材を裁断する裁断装置において、
ベルトの循環経路に臨んで配置され、ベルトの表面に対して相対的な運動を行うブラシを接触させるブラシ機構と、
ブラシ機構、およびブラシ機構が臨むベルトの表面部分を外囲するハウジングと、
ハウジング内の空気を吸引する空気吸引機構とを含むことを特徴とする裁断装置。
【請求項２】
前記ブラシ機構は、
前記ベルトの幅方向に平行な軸線まわりに回転する回転ブラシと、
回転ブラシを回転させる駆動源とを含み、
前記ハウジングは、ベルトの幅方向の両端で、回転ブラシを回転可能に支持し、かつ内部を封止し、
前記空気吸引機構は、ハウジングの幅方向の中間で前記空気の吸引を行うことを特徴とする請求項１記載の裁断装置。
【請求項３】
前記駆動源は、前記ベルトの幅方向の一端側に設けられ、
ハウジングの該一端側には、駆動源からの回転駆動力が出力される回転駆動軸が設けられ、
前記回転ブラシは、ハウジングの幅方向の他端側から着脱可能であり、
該回転ブラシの一端側の先端には、該回転ブラシを該ハウジングの他端側から軸線方向に押込むと回転駆動軸と嵌合して回転駆動力の伝達を受け、該回転ブラシを該ハウジングの他端側に引抜くと回転駆動軸との嵌合状態が外れる嵌合部を有することを特徴とする請求項２記載の裁断装置。
【請求項４】
前記ハウジングは、前記ベルトの幅方向にわたって同一の断面形状となる樋状に形成され、
前記回転ブラシは、前記一端側に、ハウジングの内周面形状に適合する形状の外周面を有する支持板を有することを特徴とする請求項２または３記載の裁断装置。
【請求項５】
前記回転ブラシは、
円筒状の外周面を有する回転体と、
回転体の外周面上に、該回転体の軸線と傾斜する方向に配列される複数列の植毛とを有することを特徴とする請求項２〜４のいずれかに記載の裁断装置。
【発明の詳細な説明】
【０００１】
【発明の属する技術分野】
本発明は、通気性を有するマット状のベルトで、ベルトコンベア方式の裁断テーブルを形成し、布帛などのシート材を裁断する裁断装置に関し、特に目詰りを防ぐ清掃のための構成に関する。
【０００２】
【従来の技術】
従来から、布帛などの柔軟なシート材から衣類などの縫製に使用するパーツを裁断するために、裁断装置が用いられている。裁断の生産性を向上させる裁断装置としては、裁断テーブル上にシート材を真空吸着して保持し、予め設定される裁断データに従って自動的に裁断することができる自動裁断装置が用いられている。シート材が刃物によって裁断されると、糸屑などの裁断屑が発生する。発生する裁断屑が裁断テーブルに付着すると、後から裁断するシート材に付着するおそれがある。たとえば、白色など明るい色のシート材の裁断屑が黒色などの暗い色のシート材に付着したり、明暗の関係がこの逆であったりして、付着した裁断屑とシート材との色の違いが大きいようなときは、裁断屑の付着がよく目立ち、商品価値を損ってしまう。
【０００３】
裁断装置で裁断屑の清掃を行うことについての先行技術としては、たとえば特開平５−７７１９８号公報や実公平８−９１９５号公報を挙げることができる。特開平５−７７１９８号公報や実公平８−９１９５号公報で説明されている裁断装置は、複数枚のシート材を積層させた状態で裁断するために、裁断テーブルは表面に多数の剛毛が立設され、裁断刃物が貫入しても切断されにくい構造を有している。
【０００４】
特開平５−７７１９８号公報には、シート材を搬送可能なベルトコンベア方式の裁断テーブルを備える裁断装置で、コンベアに付着した糸屑等を吸引して排除するためのクリーナを設け、シート材を吸着するための吸引と空気配管経路を切換える構成が開示されている。ベルトコンベアは、合成樹脂材料で成形した一定形状のブラシを表面に配列して形成される。裁断テーブルの一端側でシート材を載置してベルトコンベアを駆動することによって、シート材を裁断テーブルの裁断エリアに搬送することができる。裁断エリアでは、ブラシを介してシート材を真空吸引して保持し、シート材の上方から裁断刃物でシート材の裁断を行う。裁断終了後に、ベルトコンベアを駆動して、裁断されたシート材を裁断エリアから移動させ、パーツの取出しを行う。ベルトコンベアを駆動して搬送を行っている間は、真空吸引を行わないので、空気配管経路を切換えて、クリーナを作動させることができる。
【０００５】
実公平８−９１９５号公報には、シート材の搬送機能は有していない固定式の裁断テーブルの表面を、回転ブラシで移動しながら、裁断テーブルの表面に付着している裁断屑を掻き上げて容器に収容する構成が開示されている。回転ブラシの外周面に剛毛列を螺旋状に植えて、裁断屑を回転軸線方向に移動させて集める構成も開示されている。
【０００６】
また、特開平５−７７１９８号公報のような剛毛ブラシで形成するベルトコンベア方式の裁断機では、剛毛間に櫛の歯を挿入して、ベルトを搬送しながら裁断屑を掻き出す技術も知られている。
【０００７】
【発明が解決しようとする課題】
特開平５−７７１９８号公報や実公平８−９１９５号公報で説明されている裁断装置は、複数枚のシート材を積層させた状態で裁断するために、裁断テーブルは表面に多数の剛毛が立設され、裁断刃物が貫入しても切断されにくい構造を有している。自動裁断装置には、基本的に一枚ずつシート材を裁断することを前提として、裁断テーブルに対する裁断刃物の切込み量を小さくし、通気性を有するマットで裁断テーブルの表面を形成する方式も用いられている。特に、マット状の生地でベルトコンベアを形成して、シート材の搬送も可能にする方式の裁断装置は、裁断刃物に回転刃を用いて高速裁断を行い、サンプルや小ロット製品の生産を効率的に行うために用いられている。
【０００８】
このように生産性を重視している一枚裁ちの自動裁断装置では、裁断屑がマットの表面に留まり、他のシート材に付着しやすくなる。このため、特開平５−７７１９８号公報に開示されているような真空吸引による清掃や、実公平８−９１９５号公報に開示されているような回転ブラシによる掻き上げによる清掃では、充分な清掃効果を得ることができない。
【０００９】
本発明の目的は、マット状のベルトによるベルトコンベア方式の裁断テーブルを有する裁断装置でも、効率良く裁断屑を清掃することができる裁断装置を提供することである。
【００１０】
【課題を解決するための手段】
本発明は、マット状のベルトを循環させるベルトコンベア方式の裁断テーブル上で、吸着しながらシート材を裁断する裁断装置において、
ベルトの循環経路に臨んで配置され、ベルトの表面に対して相対的な運動を行うブラシを接触させるブラシ機構と、
ブラシ機構、およびブラシ機構が臨むベルトの表面部分を外囲するハウジングと、
ハウジング内の空気を吸引する空気吸引機構とを含むことを特徴とする裁断装置である。
【００１１】
また本発明で、前記ブラシ機構は、
前記ベルトの幅方向に平行な軸線まわりに回転する回転ブラシと、
回転ブラシを回転する駆動源とを含み、
前記ハウジングは、ベルトの幅方向の両端で、回転ブラシを回転可能に支持し、かつ内部を封止し、
前記空気吸引機構は、ハウジングの幅方向の中間で前記空気の吸引を行うことを特徴とする。
【００１２】
また本発明で、前記駆動源は、前記ベルトの幅方向の一端側に設けられ、
ハウジングの該一端側には、駆動源からの回転駆動力が出力される回転駆動軸が設けられ、
前記回転ブラシは、ハウジングの幅方向の他端側から着脱可能であり、
該回転ブラシの一端側の先端には、該回転ブラシを該ハウジングの他端側から軸線方向に押込むと回転駆動軸と嵌合して回転駆動力の伝達を受け、該回転ブラシを該ハウジングの他端側に引抜くと回転駆動軸との嵌合状態が外れる嵌合部を有することを特徴とする。
【００１３】
また本発明で、前記ハウジングは、前記ベルトの幅方向にわたって同一の断面形状となる樋状に形成され、
前記回転ブラシは、前記一端側に、ハウジングの内周面形状に適合する形状の外周面を有する支持板を有することを特徴とする。
【００１４】
また本発明で、前記回転ブラシは、
円筒状の外周面を有する回転体と、
回転体の外周面上に、該回転体の軸線と傾斜する方向に配列される複数列の植毛とを有することを特徴とする。
【００１５】
【発明の実施の形態】
図１は、本発明の実施の一形態である裁断装置１の概略的な外観構成を示す。裁断装置１は、裁断テーブル２を、マット状で循環可能なベルト３で形成する。裁断装置１では、裁断する布帛などのシート材を、ベルトコンベア方式の裁断テーブル２上で、吸着して保持しながら、裁断ヘッド４によって裁断する。なお、シート材については、図示を省略している。裁断ヘッド４は、固定レール５に沿ってベルト３の搬送方向に往復移動可能であり、移動レール６に沿って搬送方向に垂直な方向に往復移動可能である。コントローラ７は、データスロット８に挿入されるフロッピディスク等の記録媒体に記録されている裁断データに従い、各レール５，６に沿う移動を組合わせて、裁断ヘッド４を二次元的に移動させ、裁断ヘッド４に備えられている裁断刃物でシート材の裁断を行わせる。裁断データは、通信ケーブル、光ファイバ、無線電波などを介するデータ通信で供給するようにすることもできる。
【００１６】
裁断テーブル２上で、レール５，６に沿って裁断ヘッド４が移動可能で、シート材の裁断が可能な領域は、裁断エリア９となる。シート材は、ベルト３の搬送方向で、裁断エリア９の上流側から供給される。ベルト３を循環させながらシート材を供給すれば、裁断エリア９内にシート材を容易に搬入することができる。シート材が裁断エリア９内に搬入されれば、ベルト３を静止させる。ベルト３は、通気性があるようなマット状に形成され、裁断エリア９で下方から真空吸引すると、ベルト３上にシート材を吸着して保持することができる。裁断テーブル２上に保持されているシート材に対して、裁断ヘッド４を移動させながら裁断を行う。裁断が終了すると、ベルト３の循環を再開させる。裁断されたパーツを裁断エリア９の下流側に排出すると同時に、上流側から次に裁断すべきシート材を裁断エリア９に搬入することができる。
【００１７】
本実施形態では、ベルト３の循環経路の下部に、清掃装置１０を設け、ベルト３の循環移動中に、ベルト３の表面の清掃を行い、付着している裁断屑を除去する。清掃装置１０は、ベルト３の循環経路に臨んで配置され、ベルト３の表面に対して相対的な運動を行うブラシを接触させるブラシ機構１１と、ブラシ機構１１、およびブラシ機構１１が臨むベルト３の表面部分を外囲するハウジング１２と、ハウジング１２内の空気を吸引する空気吸引機構１３とを含む。このような清掃装置１０は、ベルト３の循環経路で、裁断エリア９の下流側となり、裁断されたパーツのピックアップ作業を行うために設けられるピックアップエリア１４の下部に設けられる。また、裁断エリア９の上流側から搬入されるシート材には、カバーシート供給ロール１５から、非通気性の合成樹脂フィルムによるカバーシートが被せられ、裁断テーブル２での真空吸着力を増強させている。裁断ヘッド４は、カバーシートとともにシート材を裁断する。したがって、裁断屑としては、シート材自体から発生する糸屑などと、カバーシートの切断屑などが生じうる。
【００１８】
図２は、図１に示す裁断装置１の概略的な構成を、正面側から断面視して示す。ベルト３は、駆動ローラ２０と従動ローラ２１との間に掛渡される。裁断テーブル２でのベルト３のたるみを防ぐため、ベルト３の循環経路で、裁断エリア９やピックアップエリア１４など、上側となる部分には、複数の支持ローラ２２，２３，２４，…を配置して支持し、平坦な表面が得られるようにしている。裁断エリア９では、真空吸着装置３０による真空吸引力をベルト３を介してシート材に作用させることが可能であり、裁断時にはベルト３を静止させて真空吸着でシート材を保持する。ベルト３の搬送時には、清掃装置１０でベルト３の表面の清掃も行う。ブラシ機構１１によってベルト３の表面から分離される裁断屑は、吸引ブロア３１によって吸引される空気とともにフィルタ３２に集められる。フィルタ３２は、空気は通しても裁断屑は通さないので、裁断屑はハウジング１２内から吸引配管３３を通り、フィルタ３２の部分に捕集される。フィルタ３２によって裁断屑が除去された空気は、吸引配管３４を介して吸引ブロア３１に吸引され、大気中に放出される。
【００１９】
図３および図４は、図１の清掃装置１０を左側方および上方から見た構成をそれぞれ示す。ブラシ機構１１は、回転ブラシ４０を含む。回転ブラシ４０は、ベルト３の幅方向に平行な軸線まわりに回転する回転体であるローラ４１と、ローラ４１の外周表面に、径方向の外方に向けて植えられている植毛４２とを含む。ベルト３の幅方向の一端側となるローラ４１の一端側からは、回転軸４３が突出し、回転軸４３の先端には嵌合部４４が形成されている。回転軸４３の先端寄りで、嵌合部４４の近傍には、支持板４５が装着されている。ローラ４１で、ベルト３の他端側には、回転軸４６が突出し、回転軸受４７によって回転可能に支持されている。回転ブラシ４０に隣接して、ベルト３の搬送方向の上流側と下流側とには、間隔をあけて一対の支持ローラ４８，４９が設けられる。支持ローラ４８，４９は、ベルト３の循環経路の下側で、ベルト３が下方に垂下がるのを防ぐために設けられる。なお、回転ブラシ４０の他端側の回転軸受４７は、側面蓋５０内に保持されている。側面蓋５０は、側面板５１に対し、１箇所のねじを外せば容易に取外し可能である。側面板５１も複数箇所のねじを外せば、取外し可能である。回転軸４６の先端には、握り５２が装着されている。
【００２０】
以上のように本実施形態では、マット状のベルト３を循環させるベルトコンベア方式の裁断テーブル２上で吸着しながらシート材を裁断すると、裁断屑がベルト３の表面に付着するおそれがある。清掃装置１０として、ベルト３の循環経路に臨んでブラシ機構１１が配置され、ベルト３の表面に対して相対的な運動を行う回転ブラシ４０の植毛４２を接触させるので、ベルト３の表面に付着した裁断屑を機械的にベルト３の表面から分離させることができる。ブラシ機構１１、およびブラシ機構１１が臨むベルト３の表面部分は、ハウジング１２によって外囲され、空気吸引機構１３によってハウジング内の空気を吸引するので、ブラシ機構１１によってベルト３の表面から分離された裁断屑を空気とともに吸引して、ハウジング１２外に排出することができ、ベルト３の表面を確実に清掃することができる。
【００２１】
また、ベルト３の幅方向に平行な軸線まわりに回転する回転ブラシ４０を、ベルト３の幅方向の両端でハウジング１２によって回転可能に支持し、駆動源によって回転させると、回転ブラシ４０が回転してブラシでベルト３の表面から機械的に裁断屑を掻き上げることができる。ハウジング１２は、ベルト３の幅方向の両側で内部を封止し、かつ幅方向の中間で空気吸引機構１３が空気の吸引を行うので、幅方向の両側に同等な吸引力を作用させて、裁断屑を吸引して排出することができる。
【００２２】
図５は、図３および図４に示すブラシ機構１１について、回転ブラシ４０を回転駆動するための構成部分を示す。図３〜図５に示すように、ブラシ機構１１に関して、ベルト３の幅方向の一端側には、駆動源であるモータ６０が設けられる。モータ６０の回転出力軸には、プーリ６１が設けられ、駆動ベルト６２がプーリ６１とプーリ６３との間に掛け渡されている。プーリ６３は、回転駆動軸６４の一端に設けられている。回転駆動軸６４の他端側の先端付近には、軸線方向に垂直、すなわち径方向にピン６５が挿入されている。ピン６５は、回転ブラシ４０の回転軸４３に設けられる嵌合部４４と嵌合可能であり、嵌合すると回転トルクを回転軸４３側に確実に伝達することができる。嵌合部４４側には、ピン６５が嵌合する凹所４４ａが設けられ、この凹４４ａ所は、一端側が広くなって、ピン６５との結合が容易になっている。回転ブラシ４０は、ハウジング１２の他端側から挿入し、引出すことができる。ピン６５と嵌合部４４とは、回転ブラシ４０の挿入または引出しに応じて、それぞれ嵌合または分離する。回転駆動軸６４は、固定側板６６に設けられる回転軸受６７によって回転可能に支持される。図５に示すように、回転駆動軸６４は、回転軸受６８によっても回転可能に支持される。回転軸受６８は、保持板６９内に収納され、固定側板６６によって支持されている。
【００２３】
すなわち本実施形態では、駆動源であるモータ６０は、ベルト３の幅方向の一端側に設けられる。ハウジング１２の一端側には、モータ６０からの回転駆動力が出力される回転駆動軸６４が設けられる。回転ブラシ４０は、ハウジング１２の幅方向の他端側から着脱可能でる。回転ブラシ４０の一端側の先端には、回転ブラシ４０をハウジング１２の他端側から軸線方向に押込むと回転駆動軸６４と嵌合して回転駆動力の伝達を受け、回転ブラシ４０をハウジング１２の他端側に引抜くと回転駆動軸６４との嵌合状態が外れる嵌合部４４を有する。これによって、回転ブラシ４０を着脱して、メンテナンスなどを容易に行うことができる。
【００２４】
図６は、ハウジング１２内で、回転ブラシ４０の一端側が途中まで、たとえば吸引配管３３の開口付近に引出されている状態を示す。すなわち、図５に示すような挿入状態から、回転ブラシ４０を図の右方の他端側に引出している途中であり、支持板４５の下端がハウジング１２の底面に摺接しながら移動して、底面に付着している裁断屑などを他端側に掻き出すことができる。回転ブラシ４０を他端側から一端側に挿入するときには、支持板４５は、回転軸４３を回転軸線６４とほぼ同一の軸線上に保ち、嵌合部４４が回転駆動軸６４のピン６５に嵌合する位置に保つように案内するガイドとしても機能する。
【００２５】
図７は、ハウジング１２の他端側への回転ブラシ４０の引出しに関連する構成を示す。本構成では、メンテナンスを容易に行うことができるように配慮している。図７（ａ）に示すように、ハウジング１２の他端側には、蝶頭ボルト７０を外すと側面板５１から分離可能な側面蓋５０が設けられる。側面板５１側には位置決め用のピン７１，７２が立設され、側面蓋５０に設けられる位置決め孔７３，７４に挿入される。側面板５１はハウジング１２に対して固定するボルト７５，７６など、複数のボルトで固定されている。側面蓋５０を側面板５１から分離することによって、回転ブラシ４０を外部に引出すことができる。
【００２６】
ただし、図７（ｂ）に示すように、ハウジング１２の開口部では、側面板５１によって支持板４５の通過を阻止可能にしている。したがって蝶頭ボルト７０を外せば、支持板４５が側面板５１によって阻止されるまで回転ブラシ４０を外部に引出すことができ、ブラシに付着した糸屑などを簡単に取除くことができる。側面板５１は、ボルト７５，７６を含むボルト７５，７６を含む複数のボルトを外すことによって着脱可能であり、側面板５１を取外せば、回転ブラシ４０の全体を外部に引出すこともできる。回転ブラシ４０の全体を外部に引出せば、ブラシ消耗による交換作業が容易に行える。なお、嵌合部４４とピン６５との嵌合が完全でないと、側面蓋５０を閉めることができないようにしてある。回転軸４６の先端には握り５２を設け、回転ブラシ４０を手動で回転可能にしておくので、回転ブラシ４０を挿入するときは、嵌合部４４とピン６５との嵌合状態を手動で調整して、側面蓋５０を閉めることができれば、嵌合が完全であると確認することができる。
【００２７】
すなわち、ハウジング１２は、ベルト３の幅方向にわたって同一の断面形状となる樋状に形成される。回転ブラシ４０は、一端側に、ハウジング１２の内周面形状に適合する形状の外周面を有する支持板４５を有する。支持板４５による案内で、回転ブラシ４０をハウジング１２内に出し入れするときには、嵌合部４４の位置を、回転駆動軸６５に嵌合可能な位置に保つことができる。また、回転ブラシ４０を引出す際に、支持板４５の外周面がハウジング１２の内周面に摺接し、ハウジング１２の内周面に付着している裁断屑などを、支持板４５の外周で掻き出すこともできる。さらに、回転ブラシ４０をベルトの幅方向の他端側に引出しているとき、支持板４５を抜け止めとして利用することもできる。
【００２８】
図８は、回転ブラシ４０の外観形状を示す。回転ブラシ４０は、円筒状の外周面を有する回転体であるローラ４１と、ローラ４１の外周面上に、その軸線と傾斜する方向に配列される複数の列、たとえば３列の植毛４２とを有する。このような植毛４２は、たとえば合成繊維を一定の長さに揃えて、基端側を、薄い金属板を曲げて形成するホルダで保持し、複数のホルダを周方向に間隔をあけて、ローラ４１の外周表面にそれぞれ螺旋状に巻付けて形成することができる。
【００２９】
図９は、回転ブラシ４０でベルト３の表面の清掃を行う断面構成を示す。ベルト３の搬送方向に関し、回転ブラシ４０の上流側と下流側とには、一対の支持ローラ４８，４９が配置される。支持ローラ４８，４９によって、ベルト３を支え、清掃装置１０をベルト３の循環経路の下方に配置しても、ベルト３が垂下がらないようにすることができる。なお、清掃装置を、図２の駆動ローラ２０や従動ローラ２１の近傍に配置すれば、支持ローラ４８，４９の一方を省略することもできる。
【００３０】
図８に示すように、本実施形態では、植毛４２を螺旋状に行うなど、ローラ４１の外周面上に、ローラ４１の軸線と傾斜する方向に配列される複数列の植毛４１を有する。植毛４２が軸線に平行に配列されていると、各列毎に植毛４２がベルト３の表面と接触するタイミングがそろい、接触時には回転に対するトルク負荷が大きくなる。植毛４２の配列方向を軸線に対して傾斜させることによって、回転に対するトルク負荷を分散させ、円滑に回転させることができる。
【００３１】
なお、回転ローラ４０の回転速度は、たとえば１２００ｒｐｍなどにする。回転方向は、周速度の方向が、ベルト３の搬送方向と逆方向となるようにすれば、相対的な速度を高めることができる。植毛４２が摩耗すると、回転ブラシ４０の位置をベルト３側に近づけられるようにして、接触状態を調整可能にしておく。特開平５−７７１９８号公報と同様に、空気吸引機構１３と真空吸着装置３０とを兼用させることもできる。また、ブラシ機構１１としては、回転ブラシ４０ばかりではなく、ベルト３の搬送方向に往復移動したり、幅方向に往復移動するようなブラシを用いることもできる。
【００３２】
【発明の効果】
以上のように本発明によれば、マット状のベルトを循環させるベルトコンベア方式の裁断テーブル上で、吸着しながらシート材を裁断すると、裁断屑がベルトの表面に付着する。ベルトの循環経路に臨んでブラシ機構が配置され、ベルトの表面に対して相対的な運動を行うブラシを接触させるので、ベルトの表面に付着した裁断屑を機械的にベルトの表面から分離させることができる。ブラシ機構、およびブラシ機構が臨むベルトの表面部分は、ハウジングによって外囲され、空気吸引機構によってハウジング内の空気を吸引するので、ブラシ機構によってベルトの表面から分離された裁断屑を空気とともに吸引して、ハウジング外に排出することができ、ベルトの表面を確実に清掃することができる。
【００３３】
また本発明によれば、ベルトの幅方向に平行な軸線まわりに回転する回転ブラシを、ベルトの幅方向の両端でハウジングによって回転可能に支持し、駆動源によって回転させると、回転ブラシが回転してブラシでベルトの表面から機械的に裁断屑を掻き上げることができる。ハウジングは、ベルトの幅方向の両側で内部を封止し、かつ幅方向の中間で空気の吸引を行うので、幅方向の両側に同等な吸引力を作用させて、裁断屑を吸引して排出することができる。
【００３４】
また本発明によれば、ベルトの幅方向の一端側には、駆動源およびその回転駆動力が出力される回転駆動軸が設けられ、回転ブラシは、ベルトの幅方向の他端側ハウジング内に着脱可能である。回転ブラシの一端側の先端には、回転ブラシをハウジングの他端側から軸線方向に押込むと回転駆動軸と嵌合して回転駆動力の伝達を受け、回転ブラシをハウジングの他端側に引抜くと回転駆動軸との嵌合状態が外れる嵌合部を有するので、回転ブラシを着脱して、メンテナンスなどを容易に行うことができる。
【００３５】
また本発明によれば、樋状のハウジングは、断面形状がベルトの幅方向にわたって同一となり、回転ブラシは、ベルトの幅方向の一端側に、ハウジングの内周面形状に適合する形状の外周面を有する支持板を有するので、回転ブラシをハウジング内に出し入れするときに、嵌合部の位置を、回転駆動軸に嵌合可能な位置に保つことができる。また、回転ブラシを引出す際に、支持板の外周面がハウジングの内周面に摺接し、ハウジングの内周面に付着している裁断屑などを、支持板の外周で掻き出すこともできる。さらに、回転ブラシをベルトの幅方向の他端側に引出しているとき、支持板を抜け止めとして利用することもできる。
【００３６】
また本発明によれば、回転ブラシは、回転体の円筒状の外周面上に、回転体の軸線と傾斜する方向に配列される複数列の植毛を有するので、各列上で植毛部分がベルトの表面と接触するタイミングがずれて、回転に対するトルク負荷を分散させて、円滑に回転させることができる。
【図面の簡単な説明】
【図１】本発明の実施の一形態である裁断装置１の概略的な外観構成を示す斜視図である。
【図２】図１の裁断装置１の構成を簡略化して示す正面断面図である。
【図３】図１の清掃装置１０の構成を簡略化して示す左側面断面図である。
【図４】図１の清掃装置１０の構成を簡略化して示す平面断面図である。
【図５】図３の清掃装置１０で、一端側の構成を示す部分的な左側面断面図である。
【図６】図３の清掃装置１０で、回転ブラシ４０を途中まで引出している状態を示す部分的な左側面断面図である。
【図７】図３の清掃装置１０で、側面蓋５０の取外しに関する構成を示す部分的な分解斜視図、および回転ブラシ４０を他端側まで引出している状態を示す部分的な平面断面図である。
【図８】図１の清掃装置１０に用いる回転ブラシ４０の概略的な外観構成を示す斜視図である。
【図９】図１の清掃装置１０で、ベルト３の表面の清掃を行う状態を示す部分的な正面断面図である。
【符号の説明】
１  裁断装置
２  裁断テーブル
３  ベルト
４  裁断ヘッド
９  裁断エリア
１０  清掃装置
１１  ブラシ機構
１２  ハウジング
１３  空気吸引機構
１４  ピックアップエリア
２０  駆動ローラ
２１  従動ローラ
２２，２３，２４，…，４８，４９  支持ローラ
３０  真空吸着装置
３１  吸引ブロア
３２  フィルタ
４０  回転ブラシ
４１  ローラ
４２  植毛
４３，４６  回転軸
４４  嵌合部
４５  支持板
４７，６７，６８  回転軸受
５０  側面蓋
５１  側面板
６０  モータ
６４  回転駆動軸
６５，７１，７２  ピン
６６  固定側板
７０  蝶頭ボルト
【図１】
2005320635.tif 000003
【図２】
2005320635.tif 000004
【図３】
2005320635.tif 000005
【図４】
2005320635.tif 000006
【図５】
2005320635.tif 000007
【図６】
2005320635.tif 000008
【図７】
2005320635.tif 000009
【図８】
2005320635.tif 000010
【図９】
2005320635.tif 000011